(57)【要約】      （修正有）【課題】鍋物等の煮込装置において、野菜、きりたんぽ等の具材を、煮崩れ等を起こすことなく煮込むことができる回転式煮込装置及びその煮込装置に用いる煮込容器を提供する。【解決手段】回転式煮込装置１は、四隅底部にキャスター２を有した筐体からなる装置本体３と、装置本体３の上面開口に嵌め込まれ、上面に多数個円形配列された円孔を有する回転テーブル４と、回転テーブル４の円孔下方に隣接された円環状のスープ槽５と、スープ槽５を下面側から加熱する加熱ヒーター６と、回転テーブル４を回転させる回転用モーター７とを備えてなるものである。煮込容器１１は、上部を開口とした周囲に穴明きを設けた逆円錐台形状の胴部及び下部に開閉可能な底フタを設けた煮込ざると、煮込ざるの外周上端に固定された斜め上方に延びる柄とから構成される。【選択図】図１
0003110195.tif 000002
【実用新案登録請求の範囲】
【請求項１】
四隅底部にキャスターを有した筐体からなる装置本体と、該装置本体の上面開口に嵌め込まれ、中央部分に円形凹部を形成して内部に仕切板を設けて食材ストックホッパーとし、上面に多数個円形配列された円孔を有する回転テーブルと、該回転テーブルの円孔下方に隣接された円環状のスープ槽と、前記回転テーブルの多数個円形配列された円孔に挿入しスープ槽に浸漬される煮込容器と、前記スープ槽を下面側から加熱する加熱ヒーターと、前記回転テーブルを回転させる回転用モーターとを備えてなることを特徴とする回転式煮込装置。
【請求項２】
上部を開口とした周囲に穴明きを設けた逆円錐台形状の胴部及び下部に開閉可能な底フタを設けた煮込ざると、該煮込ざるの外周上端に固定された斜め上方に延びる柄とから構成され、前記煮込ざるの底フタは前記胴部の下端開口の外周に一端を開閉可能に軸支部で軸支され、前記柄に設けた開閉レバーにより前記煮込ざるの開閉を行うことができることを特徴とする煮込容器。
【考案の詳細な説明】
【技術分野】
【０００１】
本考案は、鍋物等の煮込装置において、野菜、きりたんぽ等の具材を、煮崩れ等を起こすことなく煮込むことができる回転式煮込装置及びその煮込装置に用いる煮込容器に関する。
【背景技術】
【０００２】
従来、スタンド形式のそば・うどん店等において、ふりざるにそばやうどんを入れて熱湯を入れた釜にふりざるを浸して、麺ほぐしと温めを行うことが知られている。
また、鍋本体に設けた内鍋の略円錐台形状の中底部が加熱され、加熱された湯あるいは油が内鍋に形成された円錐台形状の内周面に沿って上昇し、連通パイプを通ってふりざる支持具に支持されたふりざるの底部に噴出し、効率よく麺ほぐしあるいは揚げ物を行うことが公知となっている（特許文献１を参照）。
さらに、駆動装置によって緩やかに回転する垂直回転軸の上端に複数個の桟を水平放射状に取付け、夫々の桟の間に茹篭を設け、該茹篭を桟の先端部で回動自在に軸支し、前記茹篭が浸漬しながら回転する環状水槽を設けた冷凍麺の解凍茹上方法が公知となっている（特許文献２を参照）。
【特許文献１】実開平４−１２５８２１号公報
【特許文献２】特開昭５５−１６５７６３号公報
【考案の開示】
【考案が解決しようとする課題】
【０００３】
本考案は、鍋物等の煮込装置において、野菜、きりたんぽ等の具材を、煮崩れ等を起こすことなく煮込むことができる回転式煮込装置及びその煮込装置に用いる煮込容器を提供することを目的とする。
【課題を解決するための手段】
【０００４】
本考案の回転式煮込装置は、四隅底部にキャスターを有した筐体からなる装置本体と、該装置本体の上面開口に嵌め込まれ、中央部分に円形凹部を形成して内部に仕切板を設けて食材ストックホッパーとし、上面に多数個円形配列された円孔を有する回転テーブルと、該回転テーブルの円孔下方に隣接された円環状のスープ槽と、前記回転テーブルの多数個円形配列された円孔に挿入しスープ槽に浸漬される煮込容器と、前記スープ槽を下面側から加熱する加熱ヒーターと、前記回転テーブルを回転させる回転用モーターとを備えてなるものである。
また、本考案の煮込容器は、上部を開口とした周囲に穴明きを設けた逆円錐台形状の胴部及び下部に開閉可能な底フタを設けた煮込ざると、該煮込ざるの外周上端に固定された斜め上方に延びる柄とから構成され、前記煮込ざるの底フタは前記胴部の下端開口の外周に一端を開閉可能に軸支部で軸支され、前記柄に設けた開閉レバーにより前記煮込ざるの開閉を行うことができるものである。
【考案の効果】
【０００５】
本考案の回転式煮込装置は、回転テーブルが一回転すると煮込料理が完成するので、イベント等で継続的に料理を提供することができると共に、単に食材を煮込容器に投入するだけで良いので簡単に調理を行うことができる。
また、本考案の煮込容器は、開閉レバーを握ることにより煮込ざるの底フタから滑り落ちて、食材のみがどんぶり等の器に移されるので、きりたんぽ料理のように、食材としてきりたんぽ（半練り状のご飯を竹輪状に形成したもの）が入っている物は煮崩れがし易いが、最後に投入された煮崩れし易い物（きりたんぽ）が最後に落ちてどんぶり等の器に投入されるので煮崩れや形崩れをしない。
【考案を実施するための最良の形態】
【０００６】
本考案の回転式煮込装置の一実施例を図面に基づいて、以下に説明する。
図１に示すように、本考案の回転式煮込装置１は、四隅底部にキャスター２を有した筐体からなる装置本体３と、該装置本体３の上面開口に嵌め込まれ、上面に多数個円形配列された円孔を有する回転テーブル４と、該回転テーブル４の円孔下方に隣接された円環状のスープ槽５と、該スープ槽５を下面側から加熱する加熱ヒーター６と、前記回転テーブル４を回転させる回転用モーター７とを備えてなるものである。
前記装置本体３は、上層部と下層部とに二分され、上層部には前記回転テーブル４、スープ槽５、加熱ヒーター６、回転用モーター７がそれぞれ配置され、下層部には食器等を収納できる複数個の収納引出し８等が設けられる。
図２に示すように、前記回転テーブル４は、中央部分に円形凹部を形成して内部に十字仕切板９を設けて食材ストックホッパー１０とし、さらに多数個円形配列された円孔に後述する煮込容器１１を挿入し該煮込容器１１をスープ槽５に浸漬することができ、回転用モーター７により煮込容器１１を伴って回転させ、煮込容器１１に収納された具材の煮込み時間に合わせてスピードコントロールが可能となっている。
図３に示すように、前記スープ槽５は、前記回転テーブル４の円孔下方に隣接された円環状の水槽となっており、スープ槽５内には鶏殻スープなどが満たされ、ガスコンロや電気ヒーターなどの加熱ヒーター６により加熱される。
【０００７】
又、本考案の煮込容器の一実施例を図面に基づいて、以下に説明する。
図４に示すように、煮込容器１１は、上部を開口とした周囲に穴明き１２を設けた逆円錐台形状の胴部１３及び下部に開閉可能な底フタ１４を設けた煮込ざる１５と、該煮込ざる１５の外周上端に固定された斜め上方に延びる柄１６とから構成される。
前記煮込ざる１５の底フタ１４は、前記胴部１３の下端開口の外周に一端を開閉可能に軸支部１７で軸支され、前記柄１６に設けた後述する開閉レバー１８により前記煮込ざる１５の開閉を行うことができるようになっている。
図５に示すように、前記柄１６は、木製、プラスチック製等の断熱性素材から形成された円筒状体からなり、該円筒状体の内部に前記底フタ１４の一端に連結される作動杆１９を挿通し、該作動杆１９の他端側を屈曲できる連結部２０を介して前記柄１６上部に設けた軸受部２１に固定される。
前記柄１６上部、すなわち円筒状体上部には、円筒状体を挟んで水平方向の両側に取付部２２を設け、両取付部２２を水平に連通する軸２３を形成し、両取付部２２間の前記軸２３には回転可能な軸受部２１を設ける。
なお、前記軸２３の両端には、抜け止めストッパーとなる固定環２４を固定する。
図６に示すように、前記軸受部２１には、前述したように作動杆１９の他端が固定されると共に、手で把握可能な下方に延びる開閉レバー１８が固定される。
また、前記煮込ざる１５の胴部１３外周壁にコ字状案内枠２５を形成し、該案内枠２５内側に前記作動杆１９を挿通させると共に、一端を前記案内枠２５に固定して他端を前記作動杆１９に固定した引張バネ２６を設ける。
前記引張バネ２６の引張力により、煮込ざる１５の底フタ１４が常時閉じる方向の力作用を行い、前記開閉レバー１８を手で握ることにより前記底フタ１４が開口する。
したがって、開閉レバー１８を握ると、図４、図６に矢印で示すように開閉レバー１８が揺動し、それに伴って軸受部２１が回転し該軸受部２１に一端が固定された作動杆１９が引っ張り上げられ、底フタ１４は軸支部１７を支点として回転して煮込ざる１５の底部が開口される。
【０００８】
次に、本考案の回転式煮込装置及び煮込容器の操作作動について、図面に基づいて以下に説明する。
煮込料理として秋田県地方のきりたんぽ料理を例として、以下に説明する。
図１に示す回転式煮込装置１において、予めスープ槽５内には比内鶏スープなどが満たされ、前記スープ槽５はガスコンロや電気ヒーターなどの加熱ヒーター６により加熱される。
回転テーブル４は、回転用モーター７の回転速度を調整し、煮込容器１１を挿入しない空の状態で、きりたんぽ料理の煮込み時間に合わせた緩やかな回転をさせておく。
また、回転テーブル４中央の食材ストックホッパー１０には、夫々の仕切板９間にきりたんぽ、鶏肉、ごぼう、きのこ類などの食材をストックさせて置く。
つぎに、空の煮込容器１１を用意して、該煮込容器１１を前記回転テーブル４の円孔に挿入し、人手で前記煮込容器１１に煮込みに時間がかかる食材を優先して前記食材ストックホッパー１０から順に前記煮込容器１１に投入する。
例えば、図２の手前位置では鶏肉、左４５度位置ではごぼう、奥向位置ではきのこ類、右４５度ではきりたんぽを夫々投入して、回転テーブル４が一回転すると煮込料理が完成できるようにする。
なお、予め各種の煮込料理の煮込み時間に合わせて食材の投入位置、回転速度を設定しておけばよい。
したがって、煮込み中は８個の煮込容器１１が回転テーブル４と一緒に回転することになる。
また、煮込み中は煮込み時間を短縮させるため、前記煮込容器１１の開口に木製等のフタ２７を被せて熱気が逃げないようにする。
なお、木製等のフタ２７は、回転テーブル４の円孔を塞ぐ大きさに形成しておけば、使用しない回転テーブル円孔の蓋としても使用することができる。
一周した煮込容器１１は、人手で煮込ざる１５の胴部１３に形成した穴明き１２により湯きりされて取り出され、前記煮込容器１１の開閉レバー１８を握ることにより煮込ざる１５の底フタ１４から滑り落ちて、食材のみが熱スープが満たされているどんぶり等の器（図示せず）に移される。
きりたんぽ料理のように、食材としてきりたんぽ（半練り状のご飯を竹輪状に形成したもの）が入っている物は煮崩れがし易いが、前記煮込容器１１の底フタ１４から滑りるので、最後に投入された煮崩れし易い物（きりたんぽ）が最後に落ちてどんぶり等の器に投入されて煮崩れや形崩れをしない。
【図面の簡単な説明】
【０００９】
【図１】本考案の回転式煮込装置の全体斜視図である。
【図２】本考案の回転式煮込装置の平面図である。
【図３】本考案の回転式煮込装置の正面図である。
【図４】本考案の煮込容器の全体斜視図である。
【図５】本考案の煮込容器の平面図である。
【図６】本考案の煮込容器の側面図である。
【符号の説明】
【００１０】
１  回転式煮込装置
２  キャスター
３  装置本体
４  回転テーブル
５  スープ槽
６  加熱ヒーター
７  回転用モーター
８  収納引出し
９  仕切板
１０  食材ストックホッパー
１１  煮込容器
１２  穴明き
１３  胴部
１４  底フタ
１５  煮込ざる
１６  柄
１７  軸支部
１８  開閉レバー
１９  作動杆
２０  連結部
２１  軸受部
２２  取付部
２３  軸
２４  固定環
２５  案内枠
２６  引張バネ
２７  フタ
【図１】
0003110195.tif 000003
【図２】
0003110195.tif 000004
【図３】
0003110195.tif 000005
【図４】
0003110195.tif 000006
【図５】
0003110195.tif 000007
【図６】
0003110195.tif 000008